(57)【要約】      （修正有）【課題】ロータへの組み込みが容易で、しかも塵埃除去性能に優れた清掃体を提供する。【解決手段】略筒状に形成された基部２と、前記基部２の外方に突出するように形成され被掃除面の塵埃を除去するブラシ状の清掃部材３から構成され、前記清掃部材３の周辺部に形成された空間部４又は／及び前記清掃部材３に囲まれて形成された空間部４を有するもので、機器（図示せず）に回転自在に設けられるロータ（図示せず）などに清掃体１の略筒状の基部２を被せるだけで、被掃除面から塵埃を除去する回転清掃体（図示せず）を簡単に組み立てることができる。また、空間部４により、ブラシ状の清掃部材３で被掃除面の凹部から効率よく掻き出された塵埃の逃げ場が確保されると共に、清掃部材３のしなり性が向上するので、塵埃掻き上げ性能、塵埃除去性能が向上する。【選択図】図１
2009131418.tif 000002
【特許請求の範囲】
【請求項１】
略筒状に形成された基部と、前記基部の外方に突出するように形成され被掃除面の塵埃を除去するブラシ状の清掃部材から構成され、前記清掃部材の周辺部に形成された空間部又は／及び前記清掃部材に囲まれて形成された空間部を有することを特徴とする清掃体。
【請求項２】
略筒状に形成された基部と、被掃除面の塵埃を除去するブラシ状の清掃部材から形成され、前記清掃部材が前記基部の外方に突出するように且つ帯状に配されたことを特徴とする清掃体。
【請求項３】
基部の長手方向に、少なくとも１条の清掃部材を、略直線状に配したことを特徴とする請求項１又は２に記載の清掃体。
【請求項４】
基部の長手方向に、少なくとも１条の清掃部材を、螺旋状に配したことを特徴とする請求項１〜３のいずれか１項に記載の清掃体。
【請求項５】
基部に、外方への突出代の異なる清掃部材を複数配したことを特徴とする請求項１〜４のいずれか１項に記載の清掃体。
【請求項６】
基部に、硬さ又は撓み性が異なる清掃部材を交互に複数配したことを特徴とする請求項１〜５のいずれか１項に記載の清掃体。
【請求項７】
清掃部材を、その略中央部が両端部より反回転方向側に先行するように略Ｖ字状に配したことを特徴とする請求項１、２及び４〜６のいずれか１項に記載の清掃体。
【請求項８】
清掃部材の隣に、ブレード状の第２の清掃部材を配したことを特徴とする請求項１〜７のいずれか１項に記載の清掃体。
【請求項９】
清掃部材として、波毛を用いたことを特徴とする請求項１〜８のいずれか１項に記載の清掃体。
【請求項１０】
基部の素材は、所定の温度で、熱収縮することを特徴とする請求項1〜９のいずれか１項に記載の清掃体。
【請求項１１】
基材表面に清掃部材を形成した平板状部材を筒状にし、その側面同士を密着、又は重ね合わせて、接着、溶着、縫合等で接合して基部を形成することを特徴とする請求項１〜１０のいずれか１項に記載の清掃体。
【請求項１２】
基材表面に清掃部材を形成した一定巾を有する帯状部材を、一定の内径寸法を保ちながら螺旋状に巻回し、隣り合う前記帯状部材の側面同士を密着、又は重ね合わせて接着、溶着、縫合等で接合して略筒状の基部を形成することを特徴とする請求項１〜１０のいずれか１項に記載の清掃体。
【請求項１３】
機器に回転自在に取着される略棒状のロータに、請求項１〜１２のいずれか１項に記載の清掃体を被せて構成したことを特徴とする回転清掃体。
【請求項１４】
ロータの外周面に、清掃体の基部を密接させながら外挿することを特徴とする請求項１３に記載の回転清掃体。
【請求項１５】
ロータは中空状の金属パイプより構成したことを特徴とする請求項１３又１４に記載の回転清掃体。
【請求項１６】
ロータの表面を、凹凸形状としたことを特徴とする請求項１３〜１５のいずれか１項に記載の回転清掃体。
【請求項１７】
ロータの断面を多角形状としたことを特徴とする請求項１３〜１６のいずれか１項に記載の回転清掃体。
【請求項１８】
請求項１３〜１７のいずれか１項に記載の回転清掃体を回転自在に備えた掃除機用吸込具。
【請求項１９】
請求項１８に記載の掃除機用吸込具を備えた電気掃除機。
【請求項２０】
室内熱交換器と、前記室内熱交換器の上流側に配され、前記室内熱交換器を通過する空気に含まれる塵埃を捕捉するエアーフィルタと、請求項１３〜１７のいずれか１項に記載の回転清掃体とを備え、前記回転清掃体で、前記エアーフィルタに付着した塵埃を除去することを特徴とする空気調和機。
【発明の詳細な説明】
【技術分野】
【０００１】
本発明は、被掃除面の清掃や洗浄に用いられる清掃体と、その清掃体を用いた回転清掃体と、その回転清掃体を用いた掃除機用吸込具、電気掃除機及び空気調和機に関するものである。
【背景技術】
【０００２】
従来のこの種の清掃体は、短冊形状の基部と、多数の繊維から構成されると共に前記基部に固着されたブラシ状の清掃部材で構成され、掃除機用床ノズルなどに回転自在に取着されるロータの外周長手方向に設けられた複数の取付溝のそれぞれに、一方から挿入するようになっている（例えば、特許文献１参照）。
【０００３】
又、短冊上の起毛布からなり、それをロータに円筒状に巻きつけたり、同じく短冊状の起毛布からなり、それを、ロータに螺旋状に巻きつけて使用するようにしたものもある（例えば、特許文献２参照）。
【０００４】
しかしながら、上記特許文献１、２に開示された従来の清掃体の構成では、清掃体の基部を、一本ずつ、ロータに複数設けた取付溝に一本ずつ挿入したり、短冊状の起毛布を筒状に、或いは螺旋状に、ロータに巻き付けなければならず、清掃体を使用する回転清掃体の組み立てに多くの工数を要し、コストアップの要因となっていた。
【０００５】
そこで、収縮性に優れた糸で筒編みして形成された基部に、パイル糸を全面に編みこんで清掃体を形成し、それを、回転清掃体に用いるときは、その清掃体を金属管などからなるロータに被せ、清掃体に冷水や熱湯をかけて、それを収縮させて固定するようにして、清掃体のロータへの取付けを容易にしたものがある（例えば、特許文献３参照）。
【０００６】
又、筒状部と、その筒状部の外周に配される１条以上のブレード部を、ゴムやプラスチック等の材料で押出成形で一体に形成し、それを、回転清掃体に用いるときは、その筒状部をロータに外嵌させるだけで、回転清掃体の組み立てが完了するようにしたものも提案されている（例えば、特許文献４参照）。
【０００７】
更には、清掃体を、可撓性を有するゴムやプラスチック等の材料からなると共に円柱部の外方に複数のブレード部を配置して構成し、その清掃体の円柱部の中央に、軸体をインサート成形して、回転清掃体を形成するようにしたものもある（例えば、特許文献５参照）。
【特許文献１】特開２００４−２６１５３９号公報
【特許文献２】特開平７−３０３５８７号公報
【特許文献３】特許第２６４９０９７号公報
【特許文献４】特許第３５２４６６２号公報
【特許文献５】特許第３７６４５２７号公報
【発明の開示】
【発明が解決しようとする課題】
【０００８】
しかしながら、上記特許文献３に記載された従来の清掃体の構成では、清掃体のロータへの取付けは確かに容易になるが、基部の表面全体に、パイル糸が編みこんであるため、例えば、その清掃体を組み込んだ回転清掃体を回転させながら、床面などの被掃除面を清掃しようとすると、編みこまれたパイル糸が連続的に被掃除面に接触して、被掃除面をパイル糸で撫でるような作用が働くため、細かい凹部に入り込んだ細塵の除去が効果的に行われず、また、基部の表面全体に編みこまれたパイル糸により、被掃除面から離脱した塵埃の逃げ場がないため、塵埃除去性能が非常に悪かった。
【０００９】
また、上記特許文献４や５に開示された従来の清掃体も、ロータへの取付は容易であるが、ゴムやプラスチック等の材料で、筒状部と一体に形成されたブレード部或いは、円柱部に一体に形成されたブレード部は、文字通りブレード状に形成されているので、これを回転清掃体に用いて、床面などの被掃除面を清掃しようとすると、被掃除面をブレード部で撫でるような作用が働き、やはり細かい凹部に入り込んだ細塵の除去が効果的に行われないといった課題があった。
【００１０】
本発明は、上記従来の課題を解決するもので、ロータへの組み込みが容易で、しかも塵埃除去性能に優れた清掃体、回転清掃体、掃除機用吸込具、電気掃除機及び空気調和機を提供することを目的とするものである。
【課題を解決するための手段】
【００１１】
前記従来の課題を解決するために、本発明の清掃体は、略筒状に形成された基部と、前記基部の外方に突出するように形成され被掃除面の塵埃を除去するブラシ状の清掃部材から構成され、前記清掃部材の周辺部に形成された空間部又は／及び前記清掃部材に囲まれて形成された空間部を有するもので、機器に回転自在に設けられるロータなどに清掃体の略筒状の基部を被せるだけで、被掃除面から塵埃を除去する回転清掃体を簡単に組み立てることができる。また、清掃部材がブラシ状なので、被掃除面の凹部に入り込んだ塵埃も確実に掻き出される。さらに、清掃部材の周辺部に形成された空間部や清掃部材で囲まれた空間部により、清掃部材で被掃除面から掻き出された塵埃の逃げ場が確保されると共に、清掃部材のしなり性が向上するので、塵埃掻き上げ性能、塵埃除去性能が向上する。
【発明の効果】
【００１２】
本発明の清掃体は、ロータへの組み込みが容易で、しかも塵埃除去性能に優れたものである。
【発明を実施するための最良の形態】
【００１３】
第１の発明は、略筒状に形成された基部と、前記基部の外方に突出するように形成され被掃除面の塵埃を除去するブラシ状の清掃部材から構成され、前記清掃部材の周辺部に形成された空間部又は／及び前記清掃部材に囲まれて形成された空間部を有するもので、機器に回転自在に設けられるロータなどに清掃体の略筒状の基部を被せるだけで、被掃除面から塵埃を除去する回転清掃体を簡単に組み立てることができる。また、清掃部材がブラシ状なので、被掃除面の凹部に入り込んだ塵埃も確実に掻き出される。さらに、清掃部材の周辺部に形成された空間部や清掃部材で囲まれた空間部により、清掃部材で被掃除面から掻き出された塵埃の逃げ場が確保されると共に、清掃部材のしなり性が向上するので、塵埃掻き上げ性能、塵埃除去性能が向上する。
【００１４】
第２の発明は、略筒状に形成された基部と、被掃除面の塵埃を除去するブラシ状の清掃部材から形成され、前記清掃部材が前記基部の外方に突出するように且つ帯状に配されたもので、機器に回転自在に設けられるロータなどに清掃体の略筒状の基部を被せるだけで、被掃除面から塵埃を除去する回転清掃体を簡単に組み立てることができる。また、清掃部材がブラシ状なので、被掃除面の凹部に入り込んだ塵埃も確実に掻き出される。さらに、清掃部材が前記基部の外方に突出するように且つ帯状に配されているので、清掃部材の周辺に空間部が形成され、清掃部材で被掃除面から掻き出された塵埃の逃げ場が確保されると共に、清掃部材のしなり性が向上するので、塵埃掻き上げ性能、塵埃除去性能が向上する。
【００１５】
第３の発明は、特に、第１又は第２の発明の基部の長手方向に、少なくとも１条の清掃部材を、略直線状に配したもので、清掃部材の基部への取付或いは形成が容易になるので、清掃体を安価に形成することが出来る。
【００１６】
第４の発明は、特に、第１〜３のいずれか一つの発明の基部の長手方向に、少なくとも１条の清掃部材を、螺旋状に配したもので、螺旋状にすることで、清掃部材で掻き上げた塵埃や、汚れを清掃体の一端側に寄せることができるので、前記清掃体を搭載した機器内での塵埃や汚れの処理を容易にすることが出来る。又、清掃部材を２条対称に設け一端から他端にかけて１８０度以上、或いは、４条設け、それぞれ９０度以上の角度で捩るようにすれば、清掃部材が被掃除面に連続的に接触するので、振動が少なく、掃除の際の騒音が低くなり、快適に清掃を行うことができる。
【００１７】
第５の発明は、特に、第１〜４のいずれか一つの発明の基部に、外方への突出代の異なる清掃部材を複数配したもので、突出代の大きい清掃部材で、被掃除面の凹部に入り込んだ塵埃を掻き出し、突出代の小さい清掃部材で、被掃除面の表面を磨くことができるので、塵埃の除去性能の向上と共に、被掃除面の磨き性能を向上させることができる。
【００１８】
第６の発明は、特に、第１〜５のいずれか一つの発明の基部に、硬さ又は撓み性が異なる清掃部材を交互に複数配したもので、硬い清掃部材又は撓み性の少ない清掃部材で、被掃除面の凹部に入り込んだ塵埃を掻き出し、柔らかい清掃部材或いは撓み性の良い清掃部材で、被掃除面の表面を磨くことができるので、塵埃の除去性能の向上と共に、被掃除面の磨き性能を向上させることができる。
【００１９】
第７の発明は、特に、第１、２、４〜６のいずれか一つの発明の清掃部材を、その略中央部が両端部より反回転方向側に先行するように略Ｖ字状に配したもので、掃除機用吸込具に使用される回転清掃体に本発明の清掃体を用いると、被掃除面から掻き出した塵埃を、電気掃除機による吸引力が強く作用する回転清掃体の中央部に寄せることができ、塵埃の除去性能を向上させることができる。
【００２０】
第８の発明は、特に、第１〜７のいずれか一つの発明の清掃部材の隣に、ブレード状の第２の清掃部材を配したもので、ブラシ状の清掃部材で被掃除面から掻き出された塵埃が、ブレード状の第２の清掃部材で送り出されるので、例えば、この清掃体を、掃除機用吸込具に搭載される回転清掃体に用いた場合は、被掃除面から除去された塵埃を、掃除機用吸込具に接続された電気掃除機で確実に吸引することができる。
【００２１】
第９の発明は、特に、第１〜８のいずれか一つの発明の清掃部材として、波毛を用いたもので、清掃部材の弾性力が高められるので、清掃体の被掃除面への追従性が向上し、塵埃の除去性能がより向上する。
【００２２】
第１０の発明は、特に、第１〜９のいずれか一つの発明の基部の素材は、所定の温度で、熱収縮するもので、機器に回転自在に取着されるロータに清掃体を取り付ける際、ロータに清掃体の基部を被せた後、それを、熱湯に浸漬、或いは熱湯を掛けたり、或いは、熱風を吹き付けるだけで、基部を、ロータに確実に固定することができるもので、接着剤などを使用する必要が無いので、製造、組み立て時の環境の良化が図れる。
【００２３】
第１１の発明は、特に、第１〜１０のいずれか一つの発明の清掃体において、基材表面に清掃部材を形成した平板状部材を筒状にし、その側面同士を密着、又は重ね合わせて、接着、溶着、縫合等で接合して基部を形成するもので、基部を筒状に加工するのが容易になるので、清掃体を安価に構成することができる。
【００２４】
第１２の発明は、特に、第１〜１０のいずれか一つの発明の清掃体において、基材表面に清掃部材を形成した一定巾を有する帯状部材を、一定の内径寸法を保ちながら螺旋状に巻回し、隣り合う前記帯状部材の側面同士を密着、又は重ね合わせて接着、溶着、縫合等で接合して略筒状の基部を形成するもので、基部を筒状に加工するのが容易になるので、清掃体を安価に構成することができる。
【００２５】
第１３の発明は、機器に回転自在に取着される略棒状のロータに、請求項１〜１２のいずれか１項に記載の清掃体を被せて構成したもので、塵埃除去性能及び組み立て性に優れた回転清掃体を安価に提供することができる。
【００２６】
第１４の発明は、特に、第１３の発明のロータの外周面に、清掃体の基部を密接させながら外挿するもので、ロータに対して回り止めにもなり、接着剤などの補助材料を使用すること無く、ロータに清掃体を外挿するだけで組み立てを完了させることが出来る。
【００２７】
第１５の発明は、特に、第１３又は第１４の発明のロータは中空状の金属パイプより構成したもので、軽量化が図れると共に、基部と清掃部材を熱溶着する際、ロータの内側より加熱あるいは冷却することが出来るので、材料の溶解、固化がすばやく行われる。また金属材のため接着剤の固化の際、熱伝導が樹脂等より早く、さらに温度管理も確実に出来、作業効率が向上する。
【００２８】
第１６の発明は、特に、第１３〜１５のいずれか一つの発明のロータの表面を、凹凸形状としたもので、ロータへの清掃体の基部の固定や位置決めが容易になるので、回転清掃体の組み立てが容易になると共に、回転清掃体の信頼性の向上が図れる。
【００２９】
第１７の発明は、特に、第１３〜１６のいずれか一つの発明のロータの断面を多角形状としたもので、ロータの剛性が向上すると共に、ロータへの清掃体の基部の固定や位置決めが容易になるので、組み立てが容易になると共に、回転清掃体の信頼性の向上が図れる。
【００３０】
第１８の発明は、請求項１３〜１７のいずれか１項に記載の回転清掃体を回転自在に備えたもので、塵埃除去性能に優れた掃除機用吸込具を提供できる。
【００３１】
第１９の発明は、請求項１８に記載の掃除機用吸込具を備えたもので、塵埃除去性能に優れた電気掃除機を提供できる。
【００３２】
第２０の発明は、室内熱交換器と、前記室内熱交換器の上流側に配され、前記室内熱交換器を通過する空気に含まれる塵埃を捕捉するエアーフィルタと、請求項１３〜１７のいずれか１項に記載の回転清掃体とを備え、前記回転清掃体で、前記エアーフィルタに付着した塵埃を除去するもので、エアーフィルタのメンテナンスが容易で、しかも空調性能に優れた空気調和機を提供できる。
【００３３】
以下、本発明の実施例について、図面を参照しながら説明する。なお、この実施例によって本発明が限定されるものではない。
（実施例１）
【００３４】
図１（ａ）は、本発明の第１の実施例における清掃体の斜視図、図２は、同清掃体をロータに外挿する様子を示す図である。
【００３５】
図１において、本実施例における清掃体１は、略筒状に形成された基部２と、前記基部２の外方に突出するように形成され被掃除面の塵埃を除去するブラシ状の清掃部材３から構成され、前記清掃部材３の周辺部には空間部４が形成されている。本実施例では、基部２は、伸縮性に優れた繊維で筒編みして形成されている。清掃部材３は、外径が０．１mm程度の密集した繊維や、外径が０．５ｍｍ以上の樹脂などから形成された多数の細棒などでブラシ状に構成されると共に、基部２に、植え込んだり、熱溶着や接着剤などで固定するようにしている。又、起毛布や不織布を短冊状に切ったものを束ねて、清掃部材３を形成しても良い。
【００３６】
又、基部２の形成に当たり、伸縮性に優れた繊維を用いる代わりに、一般の繊維を用いて、伸縮性に富むような編み方で筒編みしても良い。更には、筒編みの代りに、伸縮性に富んだ材料を用いて、網目状に、かつ筒状に成形して基部２を形成しても良い。
【００３７】
又、基部２を、起毛布で筒状に形成したり、図１（ｂ）に示すように、筒状の網体２ｃに起毛布２ｄを縫い付けたり、接着して形成しても良い。
【００３８】
本実施例における清掃体１は、以上のように構成されているので、掃除機用吸込具や、空気調和機のエアーフイルター清掃装置などに回転自在に取り付けられ、被掃除面から塵埃を除去する回転清掃体（図示せず）のロータ５などに取り付けるときは、図２に示すように、そのロータ５に、清掃体１の略筒状の基部２を被せるだけで、回転清掃体を簡単に組み立てることができるので、回転清掃体を安価に形成することが出来る。
【００３９】
さらに、清掃部材３の周辺部に形成された空間部４により、清掃部材３で被掃除面から掻き出された塵埃の逃げ場が確保されると共に、清掃部材３のしなり性が向上するので、塵埃掻き上げ性能、塵埃除去性能が向上する。
【００４０】
なお、空間部４は、特に、図示しないが、清掃部材３で囲むようにして形成しても、同様の効果が得られることは言うまでも無い。
【００４１】
なお、ロータ５と基部２の固定は、接着剤、熱溶着、超音波溶着といった一般的な固定方法で可能である。
【００４２】
さらに、基部２を、所定の温度で、熱収縮する素材で形成するようにすれば、ロータ５に清掃体１の基部２を被せた後、それを、熱湯に浸漬、或いは熱湯を掛けたり、或いは、熱風を吹き付けるだけで、基部２が収縮し、ロータ５に確実に固定することができ、接着剤などを使用する必要が無いので、製造、組み立て時の環境の良化が図れる。
【００４３】
又、基部２を、図３（ａ）に示すように、不織布などの基材２ａに清掃部材３を植毛するなどして形成した平板状部材２ｂを筒状にし、図３（ｂ）に示すように、平板状部材２ｂの両端面を接着剤や、熱溶着で接合させたり、或いは、図３（ｃ）に示すように、平板状部材２ｂの両端面を付き合せて縫製或いは複数の止め具２ｅで綴じたり、或いは、図３（ｄ）に示すように、平板状部材２ｂの両端面を重ね合わせて、接着、熱溶着、縫合等で形成するようにすれば、基部２を筒状に加工するのが容易になり、清掃体１を安価に構成することができる。
【００４４】
又、ロータ５に基部２を外挿する際に、ロータ５の外周面に清掃体１の基部２の内壁が密接するように、基部２の内径寸法を設定しておけば、ロータ５に基部２を外挿した後は、ロータ５に対して回り止めになり、接着剤などの補助材料を使用する必要も無く、ロータ３に基部２を外挿するだけで、回転清掃体の組み立てを完了させることが出来る。
【００４５】
なお、上記実施例では、基部２の外周の４箇所に、均一に清掃部材３を配置したが、本発明は、それに限定するものでは無く、１箇所だけに、或いは２、３箇所だけに、或いは５箇所以上に配置しても良い。
（実施例２）
【００４６】
図４は、本発明の第２の実施例における清掃体の部分斜視図である。なお、上記第１の実施例における清掃体と同一部分については、同一符号を付してその説明を省略する。
【００４７】
本実施例における清掃体７は、図４に示すように、略筒状に形成された基部２に、ブラシ状の清掃部材３を前記基部２の外方に突出するように、帯状に且つ直線状に配したものである。
【００４８】
本実施例における清掃体７は、以上のように、清掃部材３が基部２の外方に突出するように且つ帯状に配されているので、清掃部材３の周辺に空間部４が形成され、清掃部材３で被掃除面から掻き出された塵埃の逃げ場が確保されると共に、清掃部材３のしなり性が向上するので、塵埃掻き上げ性能、塵埃除去性能が向上する。
【００４９】
又、清掃部材３を直線状に配することにより、清掃部材３の基部２への取付或いは形成が容易になるので、清掃体７を安価に形成することが出来る。
【００５０】
又、図５に示すように、基部２の長手方向に、清掃部材３を螺旋状に配すれば、清掃部材で掻き上げた塵埃や、汚れを清掃体の一端側に寄せることができるので、前記清掃体を搭載した機器内での塵埃や汚れの処理を容易にすることが出来る。又、清掃部材を２条対称に設け一端から他端にかけて１８０度以上、或いは、４条設け、それぞれ９０度以上の角度で捩るようにすれば、清掃部材３が被掃除面（図示せず）に連続的に接触するので、振動が少なく、掃除の際の騒音が低くなり、快適に清掃を行うことができる。
【００５１】
なお、本実施例では、基部２に清掃体３を４条設けた例を図示したが、本発明は、この条数に限定されるものではなく、１条だけであっても、或いは、５条以上であっても良い。
（実施例３）
【００５２】
図６は、本発明の第３の実施例における清掃体の側面図である。なお、上記実施例における清掃体と同一部分については、同一符号を付してその説明を省略する。
【００５３】
本実施例における清掃体１０は、図６に示すように、基部２の周方向に、外方への突出代の異なる清掃部材３ａ、３ｂを交互に複数配したもので、これにより突出代の大きい清掃部材３ａで、被掃除面の凹部に入り込んだ塵埃を掻き出し、突出代の小さい清掃部材３ｂで、被掃除面の表面を磨くことができるので、塵埃の除去性能の向上と共に、被掃除面の磨き性能を向上させることができる。
【００５４】
なお、上記実施例では、基部２の周方向に、外方への突出代の異なる清掃部材３ａ、３ｂを交互に複数配したが、基部２の長手方向に沿って、外方への突出代の異なる清掃部材３ａ、３ｂを交互に複数配してもよい。あるいは、突出代の異なる複数の清掃部材３ａ、３ｂをランダムに配してもよい。
（実施例４）
【００５５】
図７は、本発明の第４の実施例における清掃体の側面図である。なお、上記実施例における清掃体と同一部分については、同一符号を付してその説明を省略する。
【００５６】
本実施例における清掃体１２は、図７に示すように、基部２の周方向に、硬さ又は撓み性が異なる清掃部材３ｃ、３ｄを交互に複数配したもので、これにより、硬い又は撓み性の少ない清掃部材３ｃで、被掃除面の凹部に入り込んだ塵埃を掻き出し、柔らかい或いは撓み性の良い清掃部材３ｄで、被掃除面の表面を磨くことができるので、塵埃の除去性能の向上と共に、被掃除面の磨き性能を向上させることができる。
【００５７】
なお、上記実施例では、基部２の周方向に、硬さ又は撓み性が異なる清掃部材３ａ、３ｂを交互に複数配したが、基部２の長手方向に沿って、硬さ又は撓み性が異なる清掃部材３ａ、３ｂを交互に複数配してもよい。あるいは、硬さ又は撓み性が異なる複数の清掃部材３ａ、３ｂをランダムに配してもよい。
（実施例５）
【００５８】
図８は、本発明の第５の実施例における清掃体の平面図である。なお、上記実施例における清掃体と同一部分については、同一符号を付してその説明を省略する。
【００５９】
本実施例における清掃体１４は、図８に示すように、基部２に、清掃部材３を、その略中央部が両端部より、半回転方向側に先行するように略Ｖ字状に配したもので、この清掃体１４を、掃除機用吸込具に使用される回転清掃体に採用すれば、清掃部材３で被掃除面から掻き出した塵埃を、電気掃除機による吸引力が最も強く作用する回転清掃体の中央部に寄せることができるので、塵埃の除去性能を向上させることができる。
【００６０】
なお、空気調和機において、横長のエアーフイルターの形状に対応した長い回転清掃体を使用する場合、前記回転清掃体の両端部から吸引することになるが、その回転清掃体用の清掃体の清掃部材の略中央部を、両端部より回転方向側に先行するように略Ｖ字状に配すれば、ごみは、吸引力が及びにくい中央部から両端部へ移送されるので、両端部でのごみの吸引が効果的に行われることになる。
（実施例６）
【００６１】
図９は、本発明の第６の実施例における清掃体の側面図である。なお、上記実施例における清掃体と同一部分については、同一符号を付してその説明を省略する。
【００６２】
本実施例における清掃体１６は、図９に示すように、清掃部材３の隣に、ブレード状の第２の清掃部材１７を配したものである。本実施例における第２の清掃部材１７は、ゴムや樹脂で押し出し成形で形成されたものであるが、同じような材料からなるシート材を打ち抜いて形成しても良い。なお、基材２への第２の清掃部材１７の固着方法としては、接着、熱溶着、超音波溶着或いは、金型を用いて基部２に一体的に成形しても良い。
【００６３】
本実施例における清掃体１６は、以上のように構成されているので、ブラシ状の清掃部材３で被掃除面から掻き出された塵埃が、ブレード状の第２の清掃部材１７で送り出されるので、例えば、この清掃体１６を、掃除機用吸込具に搭載される回転清掃体に用いた場合は、被掃除面から除去された塵埃を、掃除機用吸込具に接続された電気掃除機で確実に吸引することができる。
【００６４】
また、清掃部材３の隣にブレード状の第２の清掃部材１７を配することにより、糸くず、髪の毛などが清掃体１６に絡みついた場合に、それらによる巻き締まりを防止できる効果もある。
【００６５】
上記第１〜６の実施例では、清掃部材３として、外方にまっすぐ伸びたブラシ状部材（多数の繊維、細棒など）を用いたが、図１０に示すように、波毛を用いても良い。波毛とは、波形形状を有する毛材であって、クリンプ毛、捲縮毛、ウェーブ毛と呼ばれることもある。
【００６６】
以上のように、、波毛を用いることにより、清掃部材３の弾性力が高められ、清掃体１６（１、７、１０、１２、１４）の被掃除面への追従性が向上し、塵埃の除去性能がより向上するものである。
（実施例７）
【００６７】
図１１は、本発明の第７の実施例における清掃体の製造時の様子を示す斜視図である。なお、上記実施例における清掃体と同一部分については、同一符号を付してその説明を省略する。
【００６８】
本実施例における清掃体１８は、図１１に示すように、基材表面に清掃部材３を形成した一定巾を有する帯状部材１９を、一定の内径寸法を保ちながら螺旋状に巻回し、隣り合う帯状部材１９の側面同士を密着、又は重ね合わせて接着、溶着、縫合等で接合して、略筒状の基部２と共に清掃体１８を完成させるものである。なお、一定の内径寸法を保つ方法としては、同図に示すように、基部２の内径寸法に略等しい外径寸法を有する丸棒などの治具２０を用いるとよい。
【００６９】
上記方法によれば、基部２を筒状に加工するのが容易になるので、清掃体１８を安価に構成することができる。
（実施例８）
【００７０】
図１２（ａ）は、本発明の第８の実施例における回転清掃体の断面図、（ｂ）は、同回転清掃体の端板Ａの斜視図、（ｃ）は、同回転清掃体のロータの端部の斜視図である。
【００７１】
図１２において、本実施例における回転清掃体２５は、アルミニュームなどの金属製で中空状のパイプや、筒状で樹脂材料で形成されたロータ２６と、前記ロータ２６に外挿される清掃体２７と、ロータ２６の一端に嵌合固着されると共に、掃除機用吸込具（図示せず）などの機器に回転自在に取着される端板Ａ２８と、ロータ２６の他端に嵌合固着され、機器に回転自在に取着される端板Ｂ２９とで構成されている。端板Ｂ２９の外周には、図に示すように、機器に内蔵された電動機などの駆動手段（図示せず）で駆動されるタイミングベルト（図示せず）を張架するためのギア２９ａが形成されている。
【００７２】
又、ロータ２６の外周面の長手方向には、図１２（ｃ）に示すように、複数の凸部２６ａと凹部２６ｂが形成されている。なお、本実施例における清掃体２７は、上記第１乃至７の実施例で述べた清掃体１、７、１０、１２、１４、１６、１８のいずれかを使用している。又、ロータ２６への清掃体２７の固着方法については、上記第１の実施例に述べた方法と同じなので、ここでは、説明を省略する。
【００７３】
本実施例において、特に、ロータ２６を中空状の金属パイプで形成すれば、軽量化が図れると共に、清掃体２７の基部２と清掃部材３を熱溶着する際、ロータ２６の内側より加熱あるいは冷却することが出来るので、材料の溶解、固化がすばやく行われ、組み立て工数の削減が図れる。また、ロータ２６が金属材のため接着剤の固化の際、熱伝導が樹脂等より早く、さらに温度管理も確実に出来、作業効率が向上する。
【００７４】
又、ロータ２６を、中空状の樹脂パイプで形成すれば、一層の軽量化が図れることは、いうまでも無い。
【００７５】
又、本実施例では、ロータ２６の表面に複数の凸部２６ａ、凹部２６ｂを形成しているので、清掃体２７をロータ２６に外挿したときに、ロータ２６の凸部２６ａが清掃体２７の基部２に食い込むので、清掃体２７の基部２のロータ２６への固定や位置決めが容易になり、回転清掃体２５の組み立てが容易になると共に、回転清掃体２５の信頼性の向上が図れる。
【００７６】
又、図１２（ｄ）に示すように、ロータ２６の表面に複数の凸部２６ａ、凹部２６ｂを長手方向に形成する代わりに、ロータ２６の表面にローレット加工を施して、微細な凹凸２６ｃを形成するようにしても良い。この構成によれば、上記同様に、凹凸２６ｃの凸が、清掃体２７の基部２に食い込んで位置決めすると共に、基部２の固定に接着剤を用いた場合は、余分な接着剤が、凹凸２６ｃの凹部に溜まり、外部に流出することが無く、回転清掃体２５の組み立て、仕上げが容易になるものである。
【００７７】
また、図１２（ｅ）に示すように、ロータ２６の断面を多角形状にすれば、ロータ２６の剛性が向上すると共に、ロータ２６への清掃体２７の基部２の固定や位置決めが容易になるので、組み立てが容易になると共に、回転清掃体２５の信頼性の向上が図れる。
（実施例９）
【００７８】
図１３は、本発明の第９の実施例における回転清掃体の両端部の断面図である。なお、上記第８の実施例における回転清掃体と同一部分については、同一符号を付してその説明を省略する。
【００７９】
本実施例における回転清掃体３２は、アルミニュームなどの金属製で中空状のパイプや、筒状で樹脂材料で形成されたロータ３３と、前記ロータ３３に外挿される清掃体２７と、ロータ３３の一方の端部に嵌合固着されると共に機器に回転自在に取着される端板Ａ３４と、ロータ３３の他端に嵌合固着され、機器に回転自在に取着される端板Ｂ３５とで構成され、端板Ｂ３５の外周には、タイミングベルトを張架するためのギア３５ａが形成されている。
【００８０】
ロータ３３の両端部には、それぞれ端部に向かって外径が小さくなるテーパ部３３ａが形成されている。
【００８１】
又、端板Ａ、Ｂ３４、３５のそれぞれには、ロータ３３の内壁に圧入気味に嵌合すると共に接着剤などでロータ３３に固着される嵌合壁３４ａと、ロータ３３に外挿された清掃体２７の端部を押さえ込むための押さえ壁３４ｂがそれぞれ、一体に且つ円環状に形成されている。又、押さえ壁３４ｂの内壁には、外方に向かって内径が大きくなるテーパ部３４ｃが形成されている。
【００８２】
以上のように、本実施例における回転清掃体３２によれば、ロータ３３の端部にテーパ部３３ａを設けたので、ロータ３３への清掃体２７の外挿が容易になる。
【００８３】
又、端板Ａ、Ｂ３４、３５のそれぞれに設けた嵌合壁３４ａにより、端板Ａ、Ｂ３４、３５をロータ３３に精度良く、且つ確実に固定できると共に、押さえ壁３４ｂにより、清掃体２７の端部が押さえられるので、回転清掃体３２の回転中に、清掃体２７の端部がめくれたりすることが無い。又、押さえ壁３４ｂに設けたテーパ部３４ｃにより、清掃体２７が外挿されたロータ３３に端板Ａ、Ｂ３４、３５を嵌合させるときに、押さえ壁３４ｂの端部で、清掃体２７の端部がめくれたりすることが無く、組み立てが容易になる。
（実施例１０）
【００８４】
図１４は、本発明の第１０の実施例における掃除機用吸込具の斜視図と、裏面図である。なお、上記第８、９の実施例における回転清掃体と同一部分については、同一符号を付してその説明を省略する。
【００８５】
図１４において、本実施例における掃除機用吸込具３９の本体３９ａ内には、回転清掃体２５（又は３２）と、電動機４０と、電動機４０の回転軸（図示せず）と回転清掃体２５（又は３２）の端板Ｂ２９（又は３５）のギア２９ａ（又は３５ａ）間に張架されるタイミングベルト４１が配され、本体３９ａの後方中央部には、上下、左右回動自在で、電気掃除機（図示せず）に接続された延長管（図示せず）に着脱自在に接続される接続管４２が設けられ、本体３９ａの底面３９ｂの前後に、一対ずつ走行用の車輪４３が設けられ、同底面３９ｂの前部には、回転清掃体２５（又は３２）の清掃体２７が臨むと共に、塵埃を吸引する吸引口４４が形成されている。
【００８６】
以上のように構成された本実施例における掃除機用吸込具３９の動作は、以下の通りである。
【００８７】
掃除機用吸込具３９を、接続管４２を介して、電気掃除機の延長管に接続し、同電気掃除機を運転しながら、掃除機用吸込具３９を床面上で移動させると、床面上の塵埃が、回転清掃体２５（又は３２）の清掃体２７で掻き取られ、空気と共に、吸引口４４から吸引され、接続管４２、延長管、ホース（図示せず）を通って、電気掃除機の集塵部（図示せず）で捕捉される。
【００８８】
以上のように、本実施例における掃除機用吸込具３９は、安価で、組み立て性、塵埃除去性能に優れた回転清掃体２５（又は３２）を搭載しているので、安価で、塵埃除去性能に優れたもので、この掃除機用吸込具３９を、電気掃除機に接続すれば、同じく塵埃除去性能に優れた電気掃除機を提供することが出来る。
（実施例１１）
【００８９】
図１５は、本発明の第１１の実施例における空気調和機の要部斜視図及び部分断面図である。なお、上記実施例と同一部分については、同一符号を付してその説明を省略する。
【００９０】
図１５において、本実施例における空気調和機は、室内熱交換器（図示せず）と、同室内熱交換器の上流側に配され、前記室内熱交換器を通過する空気に含まれる塵埃を捕捉すると共に、枠体４７ａと枠体４７ａに一体に張り付けられたネットフィルタ４７ｂから構成されたエアーフィルタ４７と、図示しない駆動手段Ａで、エアーフィルタ４７の上流側表面に沿って移動可能に設けられた塵埃除去装置４８と、可撓性に優れたダクト４９を介して塵埃除去装置４８に接続された吸引装置５０を備えている。
【００９１】
塵埃除去装置４８は、図示しない駆動手段Ｂで回転駆動される回転清掃体２５（又は、３２）を内蔵すると共に、エアーフィルタ４７と対向する面には、回転清掃体２５（又は、３２）の清掃体２７が臨むと共に吸引装置５０と連通する開口部４８ａが設けられている。なお、エアーフィルタ４７と回転清掃体２５（又は、３２）の位置関係は、図１５（ｂ）に示すように、開口部４８ａを通して、回転清掃体２５（又は、３２）の清掃体２７がエアーフィルタ４７の上流側表面に摺接できるようになっている。
【００９２】
以上のように構成された本実施例における空気調和機の動作は、以下の通りである。
エアーフィルタ４７に付着した塵埃を除去するときは、吸引装置５０を運転しながら、駆動手段Ａ及び駆動手段Ｂを駆動すると、塵埃除去装置４８が、エアーフィルタ４７の一端、図１５に示す例では左端、から他端（右端）に向かって移動開始すると同時に、回転清掃体２５（又は、３２）が回転し、清掃体２７が、エアーフィルタ４７の表面に付着した塵埃を掻き取り、その掻き取られた塵埃は、開口部４８ａから吸引され、ダクト４９を経て吸引装置５０に送られ、外部に排出されるようになっている。
【００９３】
以上のように、本実施例における空気調和機は、安価で、組み立て性、塵埃除去性能に優れた回転清掃体２５（又は３２）を搭載しているので、エアーフィルタ４７のメンテナンスが容易で、しかも、エアーフィルタ４７の塵埃除去性能、及び空調性能に優れた空気調和機を提供することが出来る。
【産業上の利用可能性】
【００９４】
以上のように、本発明にかかる清掃体は、回転清掃体のロータへの組み込みが容易で、しかも塵埃除去性能に優れているので、各種清掃体、回転清掃体、掃除機用吸込具、電気掃除機及び空気調和機などに広く利用できるものである。
【図面の簡単な説明】
【００９５】
【図１】（ａ）本発明の第１の実施例における清掃体の斜視図、（ｂ）同清掃体の基部の他の例を示す端部斜視図
【図２】同清掃体をロータに外挿する様子を示す図
【図３】（ａ）同清掃体の他の例を示す組み立て前の部分斜視図、（ｂ）同清掃体の側面図、（ｃ）同清掃体の他の組み立て方法を示す側面図、（ｄ）同清掃体の他の組み立て方法を示す側面
【図４】本発明の第２の実施例における清掃体の部分斜視図
【図５】同清掃体の他の例を示す部分斜視図
【図６】本発明の第３の実施例における清掃体の側面図
【図７】本発明の第４の実施例における清掃体の側面図
【図８】本発明の第５の実施例における清掃体の平面図
【図９】本発明の第６の実施例における清掃体の側面図
【図１０】同清掃体の他の例を示す側面図
【図１１】本発明の第７の実施例における清掃体の製造時の様子を示す斜視図
【図１２】（ａ）本発明の第８の実施例における回転清掃体の断面図、（ｂ）同回転清掃体の端板Ａの斜視図、（ｃ）同回転清掃体のロータの端部の斜視図、（ｄ）同ロータの他の例を示す部分断面図、（ｅ）同ロータの他の例を示す側面図
【図１３】本発明の第９の実施例における回転清掃体の両端部の断面図
【図１４】（ａ）本発明の第１０の実施例における掃除機用吸込具の斜視図、（ｂ）同掃除機用吸込具の裏面図
【図１５】（ａ）本発明の第１１の実施例における空気調和機の要部斜視図、（ｂ）同空気調和機の部分断面図
【符号の説明】
【００９６】
１、７、１０、１２、１４、１６、１８、２７  清掃体
２  基部
３  清掃部材
４  空間部
５、２６、３３  ロータ
２５、３２  回転清掃体
３９  掃除機用吸込具
【図１】
2009131418.tif 000003
【図２】
2009131418.tif 000004
【図３】
2009131418.tif 000005
【図４】
2009131418.tif 000006
【図５】
2009131418.tif 000007
【図６】
2009131418.tif 000008
【図７】
2009131418.tif 000009
【図８】
2009131418.tif 000010
【図９】
2009131418.tif 000011
【図１０】
2009131418.tif 000012
【図１１】
2009131418.tif 000013
【図１２】
2009131418.tif 000014
【図１３】
2009131418.tif 000015
【図１４】
2009131418.tif 000016
【図１５】
2009131418.tif 000017